(57)【要約】【課題】  全体に軽量・小型化することができ、かつ製作コストを抑えることができ、通気箇所のムラが生じ難く、さらに室内に設置するのにも適した大気浄化壁面緑化装置を提供する。【解決手段】  大気浄化壁面緑化装置は、通気が可能な積層構造の緑化面形成部材１と、この緑化面形成部材１の背面に設けられ、緑化面形成部材１を通過して浄化されるように送風される空気を案内する通気層１６を形成した通気層形成部材２とを備える。緑化面形成部材１は、支持体５、および導水性を有する支持層６の両方またはいずれか片方と、この支持体５または支持層６のうちの表側の部材の表面に重ねられて保水する保水層６と、育成する植物３０が表面に配置される表面層９とを含む。【選択図】        図１
2015029425.tif 000002
【特許請求の範囲】
【請求項１】
通気が可能な積層構造の緑化面形成部材と、この緑化面形成部材の背面に設けられ、前記緑化面形成部材を通過して浄化されるように送風される空気を案内する通気層を形成した通気層形成部材とを備え、
前記緑化面形成部材が、支持体、および導水性を有する支持層の両方またはいずれか片方と、この支持体または支持層のうちの表側の部材の表面に重ねられて保水する保水層と、育成する植物が表面に配置される表面層とを含む、
大気浄化壁面緑化装置。
【請求項２】
請求項１に記載の大気浄化壁面緑化装置において、前記緑化面形成部材が、前記支持体と、この支持体の表面に支持され導水性を有する支持層と、この支持層の表面に重ねられ前記支持層から水を受け取って保持する保水層と、この保水層の水を受け取って表面側の根張り領域に導く導水層と、前記根張り領域を有し植物を育成する表面層とを含む大気浄化壁面緑化装置。
【請求項３】
請求項２に記載の大気浄化壁面緑化装置において、前記支持層がマット状体またはシート状体からなり、前記保水層および導水層がシート状体からなる大気浄化壁面緑化装置。
【請求項４】
請求項１ないし請求項３のいずれか１項に記載の大気浄化壁面緑化装置において、前記緑化面形成部材の全体の、水分を含んだ状態での通気抵抗が１００Ｐａ以下である大気浄化壁面緑化装置。
【請求項５】
請求項１ないし請求項４のいずれか１項に記載の大気浄化壁面緑化装置において、前記通気層形成部材がボックス状であり、前記通気層の外部から空気を吸引して前記通気層内へ送風しまたは前記通気層から空気を吸引して外部へ送風するファンを前記通気層形成部材に設置した大気浄化壁面緑化装置。
【請求項６】
請求項１ないし請求項５のいずれか１項に記載の大気浄化壁面緑化装置において、前記通気層形成部材の上方に灌水手段を設け、前記通気層形成部材の下方に貯水タンクを設け、前記緑化面形成部材の下方に、この緑化面形成部材から落ちる水を受けて前記貯水タンクへ導く樋を設けた大気浄化壁面緑化装置。
【発明の詳細な説明】
【技術分野】
【０００１】
この発明は、大気を清浄化する機能と壁面を緑化する機能とを備えた大気浄化壁面緑化装置に関する。
【背景技術】
【０００２】
建物の壁面等に設置されて大気の浄化および壁面等の緑化を行う大気浄化壁面緑化装置がある。この種の従来の大気浄化壁面緑化装置は、緑化用の植物が植えられる土壌基盤に大気を通過させることで、大気中の汚染物質を吸着、除去する。土壌基盤としては、軽量土壌等の土が用いられていた。
大気浄化は行わずに壁面緑化だけを行うために用いられる緑化面形成部材では、土壌基盤が土以外からなるものもある（例えば特許文献１）。
【先行技術文献】
【特許文献】
【０００３】
【特許文献１】特開２０１３−９９２９８号公報
【発明の概要】
【発明が解決しようとする課題】
【０００４】
従来の大気浄化壁面緑化装置は、土壌基盤が軽量土壌やその他の土であるため、以下のような問題点がある。
・土壌基盤の重量が重い。例えば、土は、湿潤状態で比重が０．５程度である。
・土壌基盤の重量が重いことにより、大気浄化壁面緑化装置の構造体を頑丈に造る必要があり、コストが高くつく。
・土壌基盤の厚みが少なくとも１５０ｍｍ程度必要となり、大気浄化壁面緑化装置の厚みが大きくなる。
・土壌そのもの、または土壌層全体で土壌組成分の分布が不均一となり易く、通気性にムラが生じ易い。
・緑化面となる前面から土壌が少なからずこぼれ落ちるので、室内に設置するのに適しない。
【０００５】
この発明の目的は、全体に軽量・小型化することができ、かつ製作コストを抑えることができ、通気箇所のムラが生じ難く、さらに室内に設置するのにも適した大気浄化壁面緑化装置を提供することである。
【課題を解決するための手段】
【０００６】
この発明の大気浄化壁面緑化装置は、通気が可能な積層構造の緑化面形成部材と、この緑化面形成部材の背面に設けられ、前記緑化面形成部材を通過して浄化されるように送風される空気を案内する通気層を形成した通気層形成部材とを備える。前記緑化面形成部材は、支持体、および導水性を有する支持層の両方またはいずれか片方と、この支持体または支持層のうちの表側の部材の表面に重ねられて保水する保水層と、育成する植物が表面に配置される表面層とを含む。
【０００７】
この構成によると、直接、または導水性を有する支持層を通って供給される水が保水層に貯えられ、その保水層の水が適量ずつ表面層に導かれる。表面層および保水層の水を根で吸い上げることで、植物が生育する。表面層を設けることで、保水層の乾燥を防止することができる。また、緑化面形成部材の背面に通気層形成部材が設けられているため、送風を行うことにより、通気層形成部材の通気層から緑化面形成部材の表面側への空気の流れ、または緑化面形成部材の表面側から通気層形成部材の通気層への空気の流れが生じる。この空気の流れにより空気が緑化面形成部材の各層を通過する際に、空気中の汚染物質が吸着、除去されて、空気が清浄化される。
【０００８】
緑化面形成部材を構成する各層のうち支持層および保水層は、樹脂等からなる比較的薄手で軽量なマット状材やシート状材を用いることができる。また、これら支持層および保水層により表面層に水を適量ずつ供給することができるので、表面層に土を使用しなくても植物を育成することが可能である。表面層に土を使用してもよいが、その場合、使用する土の量を少なくすることができる。これらのことから、緑化面形成部材を軽量にすることができる。緑化面形成部材が軽量であると、大気浄化壁面緑化装置の構造体を比較的簡易な構成とすることができ、コストダウンを図れる。緑化面形成部材は、複数層の積層構造であるため、全体を均一な仕様にすることができ、通気性にムラが生じ難い。
【０００９】
この発明の大気浄化壁面緑化装置は、前記緑化面形成部材が、支持体と、この支持体の表面に支持され導水性を有する支持層と、この支持層の表面に重ねられ前記支持層から水を受け取って保持する保水層と、この保水層の水を受け取って表面側の根張り領域に導く導水層と、前記根張り領域を有し植物を育成する表面層とを含んでいても良い。
【００１０】
この構成によると、導水性を有する支持層を通って供給される水が保水層に貯えられ、その保水層の水が導水層を介して適量ずつ表面層の根張り領域に導かれる。表面層、導水層、および保水層の水を根で吸い上げることで、植物が生育する。保水層とは別に導水層を設けることで、表面層に水をスムーズに導くことができる。また、表面層に根張り領域を設けることで、植物をより一層確実に活着させることができる。この大気浄化壁面緑化装置も、前記同様に、空気が緑化面形成部材の各層を通過する際に、空気中の汚染物質が吸着、除去されて、空気が清浄化される。
【００１１】
前記支持層がマット状体またはシート状体からなり、前記保水層および導水層がシート状体からなっていても良い。
緑化面形成部材に薄手のマット状体やシート状体を用いると、緑化面形成部材の厚みを抑えることができ、大気浄化壁面緑化装置の全体の厚みも薄くすることができる。また、緑化面形成部材の各層を均一な仕様にすることができるので、通気性により一層ムラが生じ難い。加えて、土を用いなくてもよいので、室内に設置することも可能である。
【００１２】
この発明において、前記緑化面形成部材の全体の、水分を含んだ状態での通気抵抗が１００Ｐａ以下であるのが良い。
通気抵抗が１００Ｐａ以下であると、緑化面形成部材を空気が良好に通過することができる。
【００１３】
この発明において、前記通気層形成部材がボックス状であり、前記通気層の外部から空気を吸引して前記通気層内へ送風しまたは前記通気層から空気を吸引して外部へ送風するファンを前記通気層形成部材に設置しても良い。
通気層形成部材にファンを設置すると、外部にファンやダクトを設けることが不要となり、ファンを含めて全体をコンパクトに構成でき、また設置が簡単に行える。
【００１４】
この発明において、前記通気層形成部材の上方に灌水手段を設け、前記通気層形成部材の下方に貯水タンクを設け、前記緑化面形成部材の下方に、この緑化面形成部材から落ちる水を受けて前記貯水タンクへ導く樋を設けても良い。
灌水手段を設けると、通気層形成部材の各層へ水を良好に供給することができる。また、貯水タンクおよび樋を設けることで、余分な水を回収することができる。
【発明の効果】
【００１５】
この発明の大気浄化壁面緑化装置は、通気が可能な積層構造の緑化面形成部材と、この緑化面形成部材の背面に設けられ、前記緑化面形成部材を通過して浄化されるように送風される空気を案内する通気層を形成した通気層形成部材とを備え、前記緑化面形成部材が、支持体、および導水性を有する支持層の両方またはいずれか片方と、この支持体または支持層のうちの表側の部材の表面に重ねられて保水する保水層と、育成する植物が表面に配置される表面層とを含むため、全体に軽量・小型化することができ、かつ製作コストを抑えることができ、通気箇所のムラが生じ難く、さらに室内に設置するのにも適する。
【図面の簡単な説明】
【００１６】
【図１】（Ａ）この発明の実施形態にかかる大気浄化壁面緑化装置の縦断面図、（Ｂ）はその正面図である。
【図２】（Ａ），（Ｂ）はそれぞれ緑化面形成部材の構成が異なる大気浄化壁面緑化装置の縦断面図である。
【図３】この発明の異なる実施形態にかかる大気浄化壁面緑化装置の縦断面図である。
【図４】この発明のさらに異なる実施形態にかかる大気浄化壁面緑化装置の縦断面図である。
【図５】（Ａ）この発明のさらに異なる実施形態にかかる大気浄化壁面緑化装置の縦断面図、（Ｂ）はその正面図である。
【図６】この発明のさらに異なる実施形態にかかる大気浄化壁面緑化装置の外観斜視図である。
【図７】この発明のさらに異なる実施形態にかかる大気浄化壁面緑化装置の外観斜視図である。
【発明を実施するための形態】
【００１７】
この発明の一実施形態を図１と共に説明する。この大気浄化壁面緑化装置は、図１（Ａ）の縦断面図で示すように、通気が可能な積層構造の緑化面形成部材１と、この緑化面形成部材１の背面側に設けられた通気層形成部材２とを備える。緑化面形成部材１の表面側が植物３０の植えられる緑化面となる。
【００１８】
緑化面形成部材１は、ボックス状の装置躯体３の内側に、背面側から表面側に向かって支持体５、支持層６、保水層７、導水層８、および表面層９が重ねて設けられている。緑化面形成部材１は、その上端部および下端部を装置躯体３の内側に突出して設けられた中間フランジ部３ａと正面側フランジ部３ｂとの間に嵌め込み、ボルト等の固定具１１により中間フランジ部３ａおよび正面側フランジ部３ｂに固定される。
【００１９】
前記支持体５は、前記各層６〜９が背面側に動かないように押えるものであり、腐食し難い素材で形成するか、または防水加工が施された材料で作られる。また、支持体５は、高い開口率を有し、かつ通気抵抗が低いものが適している。具体的には、穴あき鋼板、パンチング板、有孔ＯＡフロア材等の板状支持体、またワイヤメッシュを用いる。有孔ＯＡフロア材は、例えば１７．３％の開口率のものが好ましい。図１の支持体５は、板状支持体５Ａおよびワイヤメッシュ５Ｂの両方を併用した例を示すが、図２（Ａ）のように板状支持体５Ａだけとしてもよく、また図２（Ｂ）のようにワイヤメッシュ５Ｂだけとしても良い。
【００２０】
前記支持層６は、前記支持体５の表面に支持される。支持層６は導水性を有することが求められ、例えばマット素材、高密度フェルト等をシート状にしたものが用いられる。或いは、床下空調に使用する通気カーペットに導水性を持たせたものでも良い。通気カーペットの一例としては、ポリエステルフェルト基材とタイルカーペットの基布を、所定の接着剤と接着方法で、通気性を確保してバインディングしたものがある。この通気カーペットの通気抵抗は、約２０Ｐａ（１．５ｃｍ／ｓｅｃ時）と低い。
【００２１】
前記保水層７は、前記支持層６の表面に重ねられ、支持層６から水を受け取って保持する役割をする。保水層７には、水分を含んだときに体積が増大する素材である吸水性ポリマーシート、繊維素材であるランシール（登録商標）等が用いられる。
【００２２】
前記導水層８は、前記保水層７の水を受け取って表面側の後記根張り領域１３に導く役割をする。導水層８には、水を毛細管現象により吸い上げる能力に優れた素材、例えばポリエチレン、ポリエステル等の樹脂や合成繊維からなる不織布（ニードルパンチ不織布、スパンレース不織布等）、トリコット等、或いはこれらの組み合わせを利用することができる。また、この導水層８としては、バイレック揚水距離が１０分後で５ｃｍ以上となる素材を用いるのが良い。導水層８は、植物３０の根が入り込める密度を有するものであっても良い。
【００２３】
上記支持層６、保水層７、および導水層８に用いられる各マット状材またはシート状材は、これらマット状材またはシート状材自体の重量、含有する水分の重量、および後記根張り領域１３から伸びてきた植物３０の根の重量を受けて支持することができ、かつ前記固定具１１を挿通させる穴をあけても穴が大きく広がらないようにハリを有するのが良い。また、各層６〜８全体として、水分を含んだ状態で約１００Ｐａ以下の通気抵抗となるのが望ましい。１００Ｐａは、緑化面形成部材１を空気が良好に通過することができる通気抵抗値である。
【００２４】
前記表面層９は、支持シート１２を加工して形成されている。すなわち、支持シート１２の一部分に水平方向の切れ目を入れ、その切れ目の下側部分１２ａを表面側に突出するように変形させることで、植物３０が外に向かって生育するための開口１２ｂを形成すると共に、切れ目の下側部分１２ａと前記導水層８との間に空間を設けて、この空間を根張り領域１３としている。根張り領域１３には、ある程度の保水性を有し、根の伸長を妨げない植物育成基盤（図示せず）が充填される。植物育成基盤は特に限定しないが、例えば樹脂製のスポンジ状やフェルト状材であっても良く、土であっても良い。支持シート１２は、根張り領域１３に根を張った植物３０を支えることができる強度を有し、かつ大気浄化壁面緑化装置が屋外に設置される場合には、温度、湿度、雨等に対する耐候性を有するのが良い。また、水分の蒸発を抑制する乾燥防止性に優れ、紫外線を遮断する性質を有するのが望ましい。
【００２５】
例えば図１（Ｂ）のように、表面層９の各根張り領域１３が任意に分散して配置される。根張り領域１３の箇所を避けて、支持シート１２の表面側をワイヤメッシュ等の表面側支え１４で押えることで、緑化面形成部材１が表面側へ出ることを防止する。表面側支え１０は、装置躯体３の前記表面側フランジ部３ｂに取り付けられている。
【００２６】
前記通気層形成部材２は、ボックス状の装置躯体３における前記中央フランジ部３ａよりも背面側の部分で構成され、内部に、緑化面形成部材１を通過して浄化されるように送風される空気を案内する通気層１６が形成されている。装置躯体３は、複数枚の金属板または樹脂板をボックス状に組み立てたものである。通気層１６の表面側の面は、緑化面形成部材１の支持体５に接している。
【００２７】
前記通気層１６は、装置躯体３の下側の空気室１７と連通穴１８で繋がっており、この連通穴１８に、空気室１７から通気層１６へ空気を送るファン１９が取り付けられている。ファン１９は、例えばターボファンである。空気室１７の前面部には、空気出入り口１７ａが設けられている。ファン１９を駆動すると、空気出入り口１７ａから空気を吸い込み、その空気が空気室１７、通気層１６を通り、緑化面形成部材１を背面側から表面側へ通過して植栽面となる表面層９から排出する空気の流れが生じる。ファン１９の空気送り方向を逆向きに設置して、逆向きの空気の流れが生じるようにしても良い。
【００２８】
通気層形成部材１の上端と装置躯体３の天板部との間には、灌水手段２１が設けられている。例えば、灌水手段２１は、外周に複数の孔が開けられたチューブであって、前記孔から滲み出た水が、支持層６に滴下されるようになっている。潅水手段２１を構成するチューブの入口は、給水源に接続されている。装置躯体３の中間フランジ部３ａと正面側フランジ部３ｂ間の底部は、通気層形成部材１から落ちてくる水を受けて大気浄化壁面緑化装置の幅方向に沿って案内する樋２２になっている。樋２２の水案内方向の下流部には下方に延びる排水パイプ２３が設けられ、樋２２で受けられた水が排水パイプ２３を通って、空気室１７の下側に設けられた貯水タンク２４に集められる。樋２２および貯水タンク２４を設けることで、余分の水を回収することができる。
【００２９】
この構成の大気浄化壁面緑化装置は、前記根張り領域１３の植物育成基盤に植物３０が植えられる。灌水手段２１により支持層６が灌水され、その水が、保水層７および導水層８を通って表面層９に導かれて、根張り領域１３に供給される。この水を根で吸い上げることで、植物３０が生育する。植物３０は、根張り領域１３を中心に根を張り、一部の根は導水層８、保水層７、支持層６にも伸びる。植物３０の茎および葉は、支持シート１２の開口１２ｂから外に向かって伸び、表面側の壁面を緑化する。
【００３０】
また、緑化面形成部材１の背面側に通気層１６を設けることで、緑化面形成部材１を背面側から表面側へ通過する空気の流れ、または逆向きの空気の流れを生じさせることができる。この空気の流れにより、空気が緑化面形成部材１の各層６〜９を通過する際に、空気中の汚染物質が吸着、除去されて、空気が清浄化される。送風用のファン１９は装置躯体３から離して設け、ダクトで通気層１６に接続しても良いが、この実施形態のように、ファン１９を緑化面形成部材１に設置すると、外部にファン１９やダクト（図示せず）を設けることが不要となり、ファン１９を含めて全体をコンパクトに構成でき、また設置が簡単に行える。
【００３１】
緑化面形成部材１を構成する各層のうち支持層６、保水層７、および導水層８は、表面層９の根張り領域１３に水を供給するための層であって、樹脂等からなる比較的薄手で軽量なマット状素材を用いることができる。また、これら支持層６、保水層７、および導水層８により表面層９の根張り領域１３に水を適量ずつ供給することができるので、根張り領域１３に土を使用しなくても植物を育成することが可能である。根張り領域１３に土を使用してもよいが、その場合、使用する土の量を少なくすることができる。これらのことから、緑化面形成部材１を軽量にすることができる。
【００３２】
緑化面形成部材１が軽量であると、大気浄化壁面緑化装置の構造体である装置躯体３を比較的簡易な構成とすることができ、コストダウンを図れる。また、緑化面形成部材１に薄手のマット状体やシート状体を用いるため、緑化面形成部材１の厚みを抑えることができ、大気浄化壁面緑化装置の全体の厚みも薄くすることができる。例えば、全体の厚みを１００〜２００ｍｍとすることができる。このうち、通気層１６の厚みは５０ｍｍ程度である。さらに、緑化面形成部材１の各層６〜９を均一な仕様にすることができるので、通気性にムラが生じ難い。加えて、土壌を用いなくてもよいので、室内に設置することも可能である。
【００３３】
この実施形態では、支持体５および支持層６の両方が設けられているが、いずれか一方のみを設けても良い。支持体５のみを設ける場合は、潅水手段２１を、保水層７に対して潅水を行うように設置する。支持層６のみを設ける場合は、支持層６が、保水層７の背面を受けて保水層７、導水層８、および表面層９を支持できるものとする。
また、保水層７から表面層９へ水を良好に導くことができるのであれば、導水層８は設けなくても良い。
さらに、表面層９に特別な根張り領域１３を設けずに、植物３０の根が直接に導水層８や保水層７に伸びるようにしても良い。
【００３４】
この大気浄化壁面緑化装置による効果をまとめると、以下のようになる。
・大気を土等の土壌で浄化するのではなく、薄手のマットを複数重ねた緑化面形成部材１で浄化するため、大気浄化壁面緑化装置全体を軽量にすることができる。
・大気浄化壁面緑化装置全体が軽量であるため、大気浄化壁面緑化装置の構造体も軽量にすることができる。
・構造体が軽量であると、構造体の材料選択の幅が広がり、コストダウンを図れると共に、意匠性を高めることができる。
・緑化面形成部材１が薄手のマット状体やシート状体を複数重ねた構成であると、緑化面形成部材１の通気性をコントロールし易く、小型のファン１９を用いることができる。
・ファン１９が小型であると、騒音を抑えることができると共に、コストダウンを図ることができる。
・植物３０の育成に土壌を用いなくてよいため、土が周囲にこぼれることなく、また大気浄化のために緑化面形成部材１に通気しても、土壌の臭いが発生しない。そのため、室内に設置することが可能である。
・土と違ってマット状体やシート状体は通気性を均一にすることができるので、通気性にムラが生じ難い。
・通気性にムラが生じ難いため、表面層９の各部に同じように水分を供給することができ、表面層９に植えられた植物３０の育成が安定する。
・保水性のある緑化面形成部材１を通過して空気が清浄化されるので、清浄化された空気に水分が与えられる。そのため、大気浄化壁面緑化装置を室内に設置した場合、室内の乾燥を抑えることができる。
【００３５】
上記実施形態は片方の壁面のみが植栽面とされているが、両方の壁面を植栽面としてもよい。その場合、図３のように、厚み方向の中央部に通気層１６を配置し、その両側に緑化面形成部材１をそれぞれ配置する。
【００３６】
また、上記実施形態は通気層１６の下にファン１９が設置されているが、図４のように、通気層１６の上にファン１９を設置しても良い。この場合、装置躯体３の上に設けられた空気室１７の空気出入り口１７ａから空気が出入りする。ファン１９としては、ターボファン以外に、図５に示すような小型のＤＣファンを用いても良い。この例では、装置躯体３の天板部に設けたファン１９により直接に空気を出し入れするため、空気室は設けられていない。図５は、ＤＣファンであるファン１９を通気層１６の上に設置した例を示すが、通気層１６の下に設置しても良い。
【００３７】
以上の各実施形態は大気浄化壁面緑化装置の全体形状が直方体であるが、直方体以外の形状としても良い。例えば、図６、図７のように三角柱状とすると、室内のコーナー部にコンパクトに設置することが可能である。その場合、図７の大気浄化壁面緑化装置のように、植栽面である表面層９の支持シート１２の一部をパネル２６で覆っても良い。また、上記パネル２６に棚２７等を設けても良い。このように、パネル２６や棚２７を設けることで、大気浄化壁面緑化装置をインテリアとして用いることができる。
【符号の説明】
【００３８】
１…緑化面形成部材
２…通気層形成部材
５…支持体
６…支持層
７…保水層
８…導水層
９…表面層
１３…根張り領域
１６…通気層
１９…ファン
２１…灌水手段
２２…樋
２４…貯水タンク
３０…植物
【図１】
2015029425.tif 000003
【図２】
2015029425.tif 000004
【図３】
2015029425.tif 000005
【図４】
2015029425.tif 000006
【図５】
2015029425.tif 000007
【図６】
2015029425.tif 000008
【図７】
2015029425.tif 000009